(57)【要約】【課題】  この発明は、ランプユニットのみを交換することにより、液晶プロジェクタの照度を変化させることができ、装着したランプユニットの種類をＣＰＵに認識させるための設定操作が不要な液晶プロジェクタを提供することを目的とする。【解決手段】  定格電力が異なる複数種類のランプユニットそれぞれに対応したランプ電力を発生させることが可能なランプバラストユニットを備えた液晶プロジェクタにおいて、液晶プロジェクタ本体に装着されたランプユニットの種類を検出するための検出手段、ならびに検出手段によって検出されたランプユニットの種類に応じたランプ電力がランプバラストユニットによって発生せしめられるように、検出手段によって検出されたランプユニットの種類に応じてランプバラストユニットを制御する制御手段を備えている。【選択図】  図２
2005309023.tif 000002
【特許請求の範囲】
【請求項１】
定格電力が異なる複数種類のランプユニットそれぞれに対応したランプ電力を発生させることが可能なランプバラストユニットを備えた液晶プロジェクタにおいて、
液晶プロジェクタ本体に装着されたランプユニットの種類を検出するための検出手段、ならびに
検出手段によって検出されたランプユニットの種類に応じたランプ電力がランプバラストユニットによって発生せしめられるように、検出手段によって検出されたランプユニットの種類に応じてランプバラストユニットを制御する制御手段、
を備えていることを特徴とする液晶プロジェクタ。
【請求項２】
各ランプユニットにはその種類毎に異なるパターンで突起が設けられており、検出手段は、液晶プロジェクタ本体に装着されたランプユニットに設けられた突起のパターンを検出することにより、液晶プロジェクタ本体に装着されたランプユニットの種類を検出するものであることを特徴とする請求項１に記載の液晶プロジェクタ。
【請求項３】
ランプユニットの突起は、ランプユニットにおける液晶プロジェクタ本体への挿入方向の前端部に設けられていることを特徴とする請求項２に記載の液晶プロジェクタ。
【発明の詳細な説明】
【技術分野】
【０００１】
この発明は、液晶プロジェクタに関する。
【背景技術】
【０００２】
図１は、液晶プロジェクタに設けられたランプユニットを駆動するための従来回路の構成を示している。
【０００３】
ＡＣプラグは、電源回路１に接続されている。電源回路１は、液晶プロジェクタ全体を制御するＣＰＵ１０およびランプユニット３を駆動するためのランプバラストユニット２に電力を供給する。ランプバラストユニット２は、ランプユニット３に接続されている。ランプバラストユニット２は、ＣＰＵ１０にも接続されている。ＣＰＵ１０は、電源回路１およびランプバラストユニット２を制御する。ＣＰＵ１０は、そのプログラム等を記憶するＲＯＭ１１、必要なデータを記憶するＲＡＭ１２を備えている。
【０００４】
液晶プロジェクタの照度を変化させたい場合には、ランプユニット３とランプバラストユニット２とを交換する必要がある。ランプユニットは消耗品であるため、ユーザが容易に交換できるように設計されている。しかしながら、ランプバラストユニット２については、ユーザが交換することを前提として設計されていないため、ユーザによる交換は困難である。
【０００５】
そこで、ランプバラストユニット２として、定格電力が異なる複数種類のランプユニットに対応できるものを用い、ランプユニットのみ交換することにより、液晶プロジェクタの照度を変化させることが考えられる。このようにした場合、ランプユニットを交換した際に、ＣＰＵ１０に、どの種類のランプユニットを装着させたかを認識させる必要があるため、ユーザがその設定を行う必要がある。
【発明の開示】
【発明が解決しようとする課題】
【０００６】
この発明は、ランプユニットのみを交換することにより、液晶プロジェクタの照度を変化させることができ、装着したランプユニットの種類をＣＰＵに認識させるための設定操作が不要な液晶プロジェクタを提供することを目的とする。
【課題を解決するための手段】
【０００７】
請求項１に記載の発明は、定格電力が異なる複数種類のランプユニットそれぞれに対応したランプ電力を発生させることが可能なランプバラストユニットを備えた液晶プロジェクタにおいて、液晶プロジェクタ本体に装着されたランプユニットの種類を検出するための検出手段、ならびに検出手段によって検出されたランプユニットの種類に応じたランプ電力がランプバラストユニットによって発生せしめられるように、検出手段によって検出されたランプユニットの種類に応じてランプバラストユニットを制御する制御手段を備えていることを特徴とする。
【０００８】
請求項２に記載の発明は、請求項１に記載の発明において、各ランプユニットにはその種類毎に異なるパターンで突起が設けられており、検出手段は、液晶プロジェクタ本体に装着されたランプユニットに設けられた突起のパターンを検出することにより、液晶プロジェクタ本体に装着されたランプユニットの種類を検出するものであることを特徴とする。
【０００９】
請求項３に記載の発明は、請求項２に記載の発明において、ランプユニットの突起は、ランプユニットにおける液晶プロジェクタ本体への挿入方向の前端部に設けられていることを特徴とする。
【発明の効果】
【００１０】
この発明によれば、ランプユニットのみを交換することにより、液晶プロジェクタの照度を変化させることができ、しかも装着したランプユニットの種類をＣＰＵに認識させるための設定操作が不要となる。
【発明を実施するための最良の形態】
【００１１】
以下、図２〜図１０を参照して、この発明を液晶プロジェクタに適用した場合の実施例について説明する。
【実施例１】
【００１２】
図２は、液晶プロジェクタに設けられたランプユニットを駆動するための回路の構成を示している。
【００１３】
ＡＣプラグは、電源回路１に接続されている。電源回路１は、液晶プロジェクタ全体を制御するＣＰＵ１０およびランプユニット３を駆動するためのランプバラストユニット２に電力を供給する。ランプバラストユニット２は、ランプユニット３に接続されている。ランプユニット３の装着部には、ランプユニット３の種類を検出するためのスイッチ４１、４２、４３が設けられている。ランプバラストユニット２は、ＣＰＵ１０にも接続されている。スイッチ４１、４２、４３は、ＣＰＵ１０に接続されている。
【００１４】
ＣＰＵ１０は、電源回路１を制御するとともに、スイッチ４１、４２、４３からのオンオフ信号に基づいて、ランプユニット３の種類（定格電力）を判別し、判別したランプユニット３の種類に関する情報を、ランプバラストユニット２に送信する。ＣＰＵ１０は、そのプログラム等を記憶するＲＯＭ１１、必要なデータを記憶するＲＡＭ１２を備えている。
【００１５】
この例では、ランプユニット３内のランプとしては、超高圧水銀ランプが用いられている。ランプユニット３の種類としては、この実施例では、定格電力が２００Ｗ、２５０Ｗ、３００Ｗのものがあるものとする。
【００１６】
図３および図４は、ランプユニット３の装着位置を示している。図３は平面図であり、図４は正面図である。
【００１７】
図３および図４において、５０は、液晶プロジェクタ本体を示している。５１は、投影レンズを示している。ランプユニット３は、液晶プロジェクタ本体の底面側から上方向に挿入されて、液晶プロジェクタ本体に装着される。
【００１８】
図５および図６は、ランプユニット３を示している。図５は液晶プロジェクタ本体の正面から見た図であり、図６は液晶プロジェクタ本体の平面から見た図である。
【００１９】
ランプユニット３は、液晶プロジェクタ本体の正面から見て逆Ｌ形のブラケット３１と、ブラケット３１に取り付けられたランプ３２とからなる。ブラケット３１の上端面（ランプユニット３の挿入方向の前端面）には、１個の突起が設けられている。
【００２０】
ランプユニット３の種類毎に、突起の取り付け位置が異なっている。例えば、定格電力が２００Ｗのランプユニット３では、図６に示すように、ブラケット３１の上端面の後側に突起３３が設けられ、定格電力が２５０Ｗのランプユニット３では、図７に示すように、ブラケット３１の上端面の中央に突起３３が設けられ、定格電力が３００Ｗのランプユニット３では、図８に示すように、ブラケット３１の上端面の前側に突起３３が設けられている。
【００２１】
液晶プロジェクタ本体内のランプユニット３が装着される部分には、図９に示すように、ランプユニット３が装着された状態において、各位置の突起３３を検出するための３つのスイッチ４１、４２、４３が設けられている。これらのスイッチとしては、リミットスイッチのような接触式のスイッチを用いてもよいし、光電スイッチのような非接触式のスイッチを用いてもよい。
【００２２】
定格電力が２００Ｗのランプユニット３が液晶プロジェクタ本体内に装着された際には、スイッチ４１のみがオンし、定格電力が２５０Ｗのランプユニット３が液晶プロジェクタ本体内に装着された際には、スイッチ４２のみがオンし、定格電力が３００Ｗのランプユニット３が液晶プロジェクタ本体内に装着された際には、スイッチ４３のみがオンする。
【００２３】
図１０は、ランプ点灯指令が入力された際にＣＰＵ１０によって行われるランプ種類判別処理手順を示している。
【００２４】
まず、スイッチ４１がオンであるか否かを判別する（ステップＳ１）。スイッチ４１がオンである場合には、定格電力が２００Ｗのランプユニット３が液晶プロジェクタ本体内に装着されていると判定し、そのランプユニット３の種類（定格電力）に関する情報をランプバラストユニット２に送信する（ステップＳ２）。ランブバラストユニット２は、受信したランプユニット３の種類に基づいて、出力電力を制御し、当該ランプユニット３の種類に応じたランプ電力をランプユニット３に供給する。
【００２５】
上記ステップＳ１において、スイッチ４１がオフであると判別した場合には、スイッチ４２がオンであるか否かを判別する（ステップＳ３）。スイッチ４２がオンである場合には、定格電力が２５０Ｗのランプユニット３が液晶プロジェクタ本体内に装着されていると判定し、そのランプユニット３の種類（定格電力）に関する情報をランプバラストユニット２に送信する（ステップＳ４）。ランブバラストユニット２は、受信したランプユニット３の種類に基づいて、出力電力を制御し、当該ランプユニット３の種類に応じたランプ電力をランプユニット３に供給する。
【００２６】
上記ステップＳ３において、スイッチ４２がオフであると判別した場合には、スイッチ４３がオンであるか否かを判別する（ステップＳ５）。スイッチ４３がオンである場合には、定格電力が３００Ｗのランプユニット３が液晶プロジェクタ本体内に装着されていると判定し、そのランプユニット３の種類（定格電力）に関する情報をランプバラストユニット２に送信する（ステップＳ６）。ランブバラストユニット２は、受信したランプユニット３の種類に基づいて、出力電力を制御し、当該ランプユニット３の種類に応じたランプ電力をランプユニット３に供給する。
【００２７】
上記ステップＳ５において、スイッチ４３がオフであると判別した場合には、ランプユニットが装着されていないと判定し、ランプバラストユニット２へ電源が供給されないように、電源回路１を制御する（ステップＳ７）。
【００２８】
図１０のランプ種類判別処理は、主電源が入れられたときに、行うようにしてもよい。この場合には、ランプバラストユニット２はＣＰＵ１０によって判別されたランプ種類を保持しておき、ランプ点灯指令が入力された際にその種別に応じたランプ電力をランプユニット３に供給する。
【００２９】
なお、突起を１〜３個の範囲内で、任意の数設けることができるとすると、７種類の突起パターンを形成することができるので、最大７種類のランプユニットの種類を判別することが可能である。
【図面の簡単な説明】
【００３０】
【図１】液晶プロジェクタに設けられたランプユニットを駆動するための従来回路の構成を示すブロック図である。
【図２】液晶プロジェクタに設けられたランプユニットを駆動するための回路の構成を示すブロック図である。
【図３】ランプユニット３の装着位置を示す平面図である。
【図４】ランプユニット３の装着位置を示す正面図である。
【図５】ランプユニット３を示す正面図である。
【図６】ランプユニット３を示す平面図である。
【図７】種類の異なるランプユニット３を示す平面図である。
【図８】さらに種類の異なるランプユニット３を示す平面図である。
【図９】液晶プロジェクタ本体内のランプユニット３が装着される部分に設けられた３つのスイッチ４１、４２、４３を示す左側面図である。
【図１０】ランプ点灯指令が入力された際にＣＰＵ１０によって行われるランプ種類判別処理手順を示すフローチャートである。
【符号の説明】
【００３１】
２  ランプバラストユニット
３  ランプユニット
１０  ＣＰＵ
３１  ブラケット
３２  ランプ
３３  突起
４１、４２、４３  スイッチ
【図１】
2005309023.tif 000003
【図２】
2005309023.tif 000004
【図３】
2005309023.tif 000005
【図４】
2005309023.tif 000006
【図５】
2005309023.tif 000007
【図６】
2005309023.tif 000008
【図７】
2005309023.tif 000009
【図８】
2005309023.tif 000010
【図９】
2005309023.tif 000011
【図１０】
2005309023.tif 000012